(57)【要約】【課題】良好な観察機能を有し衛生上も好ましい拡大観察機能を有する上、打ち鳴らし音発生機能、音声拡大機能を適時発揮することが可能な応援バットを提供。【解決手段】少なくとも先端に開口部１１を有する中空の野球バット形をなす応援バット本体１０と、この応援バット本体１０と一体的に設けられ、当該応援バット本体１０の軸心ＡＸ１と不平行な直線に沿った光軸ＡＸ２を有する望遠鏡２０と、を備えたことを主たる特徴ととしている。【選択図】      図３
2005102855.tif 000002
【特許請求の範囲】
【請求項１】
少なくとも先端に開口部を有する中空の野球バット形をなす応援バット本体と、
この応援バット本体と一体的に設けられ、当該応援バット本体の軸心と不平行な直線に沿った光軸を有する望遠鏡と、
を備えたことを特徴とする応援バット。
【請求項２】
前記望遠鏡は、前記光軸を軸心部に有し、各一端が前記応援バット本体の周壁に結合され、当該応援バット本体の空洞を通して互いに連通する一対の筒体と、
前記一対の筒体の一方に装着された対物レンズ及び前記一対の筒体の他方に装着された接眼レンズを含む光学系と、
からなることを特徴とする請求項１に記載の応援バット。
【請求項３】
前記対物レンズ及び前記接眼レンズは、前記一対の筒体と共にそれぞれ一体成形されたプラスチック製レンズであることを特徴とする請求項２に記載の応援バット。
【請求項４】
前記一対の筒体は、前記応援バット本体と一体成形されていることを特徴とする請求項２又は３に記載の応援バット。
【請求項５】
前記望遠鏡は、拡大倍率を変更可能な倍率可変機構を備えていることを特徴とする請求項１ないし３のいずれか一つに記載の応援バット。
【発明の詳細な説明】
【技術分野】
【０００１】
本発明は、プロ野球等のスポーツを観戦応援するための応援グッズとして好適な応援バットに関する。
【背景技術】
【０００２】
従来のこの種の応援バットには、両端が開口したメガホン型をなすものと、先端のみが開口し基端部は閉塞された構造の非メガホン型をなすものとがある。さらに、一対の半円筒形のメガホン半体を、先端部が開閉自在となるように基端部を連結した所謂V型メガホンが知られている。これらは、応援時において、主として大きな打ち鳴らし音を発生させるために使用される。メガホン型のものでは、上記以外に応援者の声援を拡大化するために使用される。
【０００３】
ところで、スポーツ声援用のメガホンにスポーツ観戦用の望遠鏡を一体化した構造を有するメガホン望遠鏡が提案されている（特許文献１参照）。このメガホン望遠鏡によれば、声援及び観戦を一つのもので行なえる。
【特許文献１】特開平９−３１８８８６号公報
【発明の開示】
【発明が解決しようとする課題】
【０００４】
特許文献１に記載のメガホン望遠鏡においては、対物レンズや正像レンズや接眼レンズ等が支持部材によりメガホンの軸心部に同心的に保持されている。このため、上記レンズ群がメガホン効果を低減させるおそれがある。また接眼レンズがメガホン使用時において汚損されてしまい、観察像が不明瞭になる上、衛生上も好ましくない。さらに対物レンズ等が、メガホンの軸心部に音声通過用の隙間を有する支持部材により吊り下がられた構造をなしている。このため強度が弱く、上記メガホンを、打ち鳴らし音を発生させるための応援バットとして使用することは不適当である。
【０００５】
本発明の目的は、接眼レンズがメガホン使用時等において汚損するおそれがなく、良好な観察機能を維持できる上、衛生上も好ましい拡大観察機能を有する上、必要に応じて打ち鳴らし音発生機能、音声拡大機能を適時発揮することが可能な応援バットを提供することにある。
【課題を解決するための手段】
【０００６】
上記目的を達成するために、本発明の応援バットは、下記のような特徴ある構成を有している。なお下記以外の本発明の特徴ある構成については実施形態の中で明らかにする。
【０００７】
本発明の応援バットは、少なくとも先端が開口した中空の野球バット形をなす応援バット本体と、この応援バット本体と一体的に設けられ、当該応援バット本体の軸心と不平行な直線に沿った光軸を有する望遠鏡と、を備えたことを特徴とする。
【発明の効果】
【０００８】
本発明においては、応援バット本体に望遠鏡が応援バットとしての機能を損なわないように一体的に設けられているので、所望シーンを適時拡大して観戦することが可能な応援バットを提供できる。
【発明を実施するための最良の形態】
【０００９】
（一実施形態)
図１は本発明の一実施形態に係る応援バットの構成を示す側面図、図２は同実施形態に係る応援バットの構成を示す正面図である。また図３は同実施形態に係る応援バットの構成を示す縦断側面図である。
【００１０】
本実施形態における応援バットは、応援バット本体１０と、この応援バット本体１０に一体的に設けられた望遠鏡２０とからなる。応援バット本体１０は中空の野球バット形をなし、先端に開口部１１を有し、基端に開口部１２を有する。
【００１１】
望遠鏡２０は、応援バット本体１０の軸心ＡＸ１と不平行な直線に沿った光軸ＡＸ２を有する。軸心ＡＸ１と光軸ＡＸ２とのなす角度θは、本実施形態の場合、約２０°程度に設定されている。上記望遠鏡２０は、前記光軸ＡＸ２を軸心部に有し、一端が前記応援バット本体１０の周壁１３の先端部近傍に結合された第１の筒体２１と、同じく前記光軸ＡＸ２を軸心部に有し、一端が前記応援バット本体１０の周壁１３の基端部近傍に結合された第２の筒体２２と有している。第２の筒体２２は、大径部２２ａに対し小径部２２ｂを摺動可能に連結したものとなっている。第１の筒体２１と第２の筒体２２の大径部２２ａとは、応援バット本体１０を成形する際に一体成形される。
【００１２】
上記一対の筒体２１，２２は、応援バット本体１０の空洞１４を通して互いに連通している。上記第１の筒体２１の先端側開口部には、凸レンズからなる対物レンズ２３が装着されている。また上記第２の筒体２２の小径部２２ｂの基端側開口部には、凹レンズからなる接眼レンズ２４が装着されている。上記対物レンズ２３及び接眼レンズ２４は、所謂ガリレイ望遠鏡としての光学系ＯＳを構成している。従って本実施形態の望遠鏡２０は、正立系レンズがなくても正立像を観察できる。また上記望遠鏡２０は、第２の筒体２２における小径部２２ｂを、大径部２２ａに対して摺動させ、長手方向の相対的位置を可変することにより、拡大倍率を変更可能となっている。すなわち第２の筒体２２の大径部２２ａと小径部２２ｂとは倍率可変機構２５を構成している。
【００１３】
このように構成された本実施形態の応援バットは、従来の応援バットと同様に、応援バット本体１０どうし、あるいは応援バット本体１０を適宜な対象物に対して打ち付けることによって、大きなうち鳴らし音を発生させることができる。また応援バット本体１０の第２の開口部１２を口に当てて声を発することにより、声を拡大して声援することもできる。そしてさらに、応援バット本体１０に一体化されている望遠鏡２０により、観戦中のスポーツの所望シーンを拡大して観察することができる。
【００１４】
本実施形態の応援バットにおいては、応援バット本体１０の空洞１４には対物レンズ２３や接眼レンズ２４等の望遠鏡の光学部材は全く介在していない。従って対物レンズ２３や接眼レンズ２４等の光学部材がメガホン効果を低減させるおそれはない。また接眼レンズ２３がメガホン使用時において直接的に汚損することはない。従って望遠鏡２０による観察像が不明瞭になるおそれがなく、衛生上も極めて好ましい。さらに対物レンズ２３及び接眼レンズ２４は、応援バット本体１０の周壁１３の外側に一体的に結合している第1、第2の筒体２１，２２にそれぞれ一体成形されたプラスチック製レンズである。このため機械的強度に優れており、たとえ上記応援バット本体１０を激しく打ち鳴らしても、従来の応援バット同様に容易には損傷しない。なお図１ないし図３に示すように、本実施形態の応援バットは極めてユニークな形状をなしている。従ってこれに彩色や模様を施せば、室内置物としても十分利用可能である。
【００１５】
（実施形態における特徴点)
［１］実施形態に示された応援バットは、
少なくとも先端に開口部１１を有する中空の野球バット形をなす応援バット本体１０と、
この応援バット本体１０と一体的に設けられ、当該応援バット本体１０の軸心ＡＸ１と不平行な直線に沿った光軸ＡＸ２を有する望遠鏡２０と、
を備えたことを特徴とする。
【００１６】
［２］実施形態に示された応援バットは、前記［１］に記載の応援バットであって、
前記望遠鏡２０は、前記光軸ＡＸ２を軸心部に有し、各一端が前記応援バット本体１０の周壁１３に結合され、当該応援バット本体１０の空洞１４を通して互いに連通する一対の筒体２１，２２と、
前記一対の筒体２１，２２の一方２１に装着された対物レンズ２３及び前記一対の筒体２１，２２の他方２２に装着された接眼レンズ２４を含む光学系ＯＳと、
からなることを特徴とする。
【００１７】
［３］実施形態に示された応援バットは、前記［２］に記載の応援バットであって、
前記対物レンズ２３及び前記接眼レンズ２４は、前記一対の筒体２１，２２と共にそれぞれ一体成形されたプラスチック製レンズであることを特徴とする。
【００１８】
［４］実施形態に示された応援バットは、前記［２］又は［３］に記載の応援バットであって、
前記一対の筒体２１，２２は、前記応援バット本体１０と一体成形されていることを特徴とする。
【００１９】
［５］実施形態に示された応援バットは、前記［１］ないし［３］のいずれか一つに記載の応援バットであって、
前記望遠鏡２０は、拡大倍率を変更可能な倍率可変機構２５を備えていることを特徴とする。
【００２０】
（変形例）
前記実施形態に示された応援バットは、下記の変形例を含んでいる。  
・メガホン型でなしに基端部が閉塞された形状の応援バット本体に適用したもの。  
・応援バット本体に二組の望遠鏡を併設した双眼鏡を一体化したもの。  
・応援バット本体に３本以上の望遠鏡を併設したもの。  
・望遠鏡の長さを応援バット本体より短く又は長く設定したもの。  
・応援バット本体の軸心と望遠鏡の光軸とのなす角度を４５°以下に設定したもの。  
・応援バット本体と望遠鏡とを適宜な材料（例えば紙とプラスチック）で別々に形成し、これらを一体的に結合させたもの。
【産業上の利用可能性】
【００２１】
本発明の応援バットを用いることによって、拡大観察機能、打ち鳴らし音発生機能、音声拡大機能、を備えた多機能応援バットを安定に供給することが可能となる。
【図面の簡単な説明】
【００２２】
【図１】本発明の一実施形態に係る応援バットの構成を示す側面図。
【図２】本発明の一実施形態に係る応援バットの構成を示す正面図。
【図３】本発明の一実施形態に係る応援バットの構成を示す縦断側面図。
【符号の説明】
【００２３】
１０…応援バット本体、１１、１２…開口部、１３…周壁、１４…空洞、２０…望遠鏡、
２１，２２…第1，第2の筒体、２３…対物レンズ、２４…接眼レンズ、２５…倍率可変機構、ＡＸ１…応援バット本体の軸心、ＡＸ２…望遠鏡の光軸。
【図１】
2005102855.tif 000003
【図２】
2005102855.tif 000004
【図３】
2005102855.tif 000005